(57)【要約】      （修正有）【課題】ズボン、スラックス等の２本の脚部の裾を別々に、ピンチで挟んで乾かす為の洗濯物干用のハンガーとピンチを提供する。【解決手段】２本の断面円形棒状のフレームを３０ミリ〜５０ミリ間隔を開けて平行に配置し、この２本のフレーム２１、２２をそれぞれの中央部で連結するフレーム連結部２３を設け、そのフレーム連結部２３にフック５０を回転自在に取り付け、かつ、前記各フレー２１．２２の左側部及び右側部にそれぞれピンチ３０を可動自在に取り付けたことを特徴とする。又、洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片の先端の連結部にフック５０を回動自在に取り付けたことを特徴とする。【選択図】図１
0003107409.tif 000002
【実用新案登録請求の範囲】
【請求項１】
２本の断面円形棒状のフレームを３０ミリ〜５０ミリ間隔を開けて平行に配置し、この２本のフレームをそれぞれの中央部で連結するフレーム連結部を設け、そのフレーム連結部にフックを回動自在に取り付け、かつ、前記各フレームの左側部及び右側部にそれぞれピンチを可動自在に取り付けたことを特徴とする洗濯物干用ハンガー。
【請求項２】
断面円形棒状のフレームの中央部にフックを回動自在に取り付け、かつ、前記フレームの左側部及び右側部にそれぞれＷ型ピンチを可動自在に取り付けたことを特徴とする洗濯物干用ハンガー。
【請求項３】
三角型ハンガーの水平フレームの左側部及び右側部にそれぞれＷ型ピンチを可動自在に取り付けたことを特徴とする洗濯物干用ハンガー。
【請求項４】
前記Ｗ型ピンチは、一端が挟み部で他端が摘み部であるピンチ片を２片有し、それぞれのピンチ片の挟み部及び摘み部を互いに対向させ、かつ両挟み部が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片のそれぞれの摘み部と挟み部のほぼ中間位置に断面円形のフレームに嵌合するフレーム嵌合穴部を設けた洗濯物干用Ｗ型ピンチであることを特徴とする、請求項２又は３に記載の洗濯物干用ハンガー。
【請求項５】
一端が挟み部で他端が摘み部であるピンチ片を２片有し、それぞれのピンチ片の挟み部及び摘み部を互いに対向させ、かつ両挟み部が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片のそれぞれの摘み部と挟み部のほぼ中間位置に断面円形のフレームに嵌合するフレーム嵌合穴部を設けたことを特徴とする洗濯物干用Ｗ型ピンチ。
【請求項６】
一端が挟み部で他端が摘み部であるピンチ片を２片有し、それぞれのピンチ片の挟み部及び摘み部を互いに対向させ、かつ両挟み部が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片の先端の連結部にフックを回動自在に取り付けたことを特徴とする洗濯物干用Ｗ型ピンチ。
【考案の詳細な説明】
【技術分野】
【０００１】  本考案は、洗濯物干用のハンガーとピンチに関するものである。
【背景技術】
【０００２】  従来、洗濯物干用のハンガーはあるが、洗濯後のズボンやスラックスを干すにはウエスト部をハンガーに引っ掛けて干すか、ズボン等の脚部をハンガーの水平フレーム部に掛けてピンチで挟んで固定して干すかしなければならず、乾きも悪く、脚部にシワが入ったり折り目が消えたりしてアイロン掛け等をしなくてはならず、面倒であり不便であった。
ハンガーの水平フレーム部にピンチを２個取り付けた形状のものもあるが、そのピンチでズボン等のウエスト部を挟んで固定しても脚部が固定されないので上記欠点は解消されず、また、２本の脚部の裾を重ねてピンチに固定しようとすると裾が重なり厚くなって挟み難く、乾きが悪いという問題は依然解消しない。
【考案の開示】
【考案が解決しようとする課題】
【０００３】  そこで、本考案は上述の問題を解消するために、ズボン等の２本の脚部の裾を別々にピンチで挟んで乾かすための洗濯物干用のハンガーとピンチを提供することを課題とする。
【課題を解決するための手段】
【０００４】  上述の課題を解決するために、本考案の請求項１の洗濯物干用ハンガーは、２本の断面円形棒状のフレームを３０ミリ〜５０ミリ間隔を開けて平行に配置し、この２本のフレームをそれぞれの中央部で連結するフレーム連結部を設け、そのフレーム連結部にフックを回動自在に取り付け、かつ、前記各フレームの左側部及び右側部にそれぞれピンチを可動自在に取り付けたことを特徴とする。【０００５】  また、本考案の請求項２の洗濯物干用ハンガーは、断面円形棒状のフレームの中央部にフックを回動自在に取り付け、かつ、前記フレームの左側部及び右側部にそれぞれＷ型ピンチを可動自在に取り付けたことを特徴とする。【０００６】  また、本考案の請求項３の洗濯物干用ハンガーは、三角型ハンガーの水平フレームの左側部及び右側部にそれぞれＷ型ピンチを可動自在に取り付けたことを特徴とする。【０００７】  また、本考案の請求項４の洗濯物干用ハンガーは、請求項２又は３に記載の洗濯物干用ハンガーであって、Ｗ型ピンチが、一端が挟み部で他端が摘み部であるピンチ片を２片有し、それぞれのピンチ片の挟み部及び摘み部を互いに対向させ、かつ両挟み部が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片のそれぞれの摘み部と挟み部のほぼ中間位置に断面円形のフレームに嵌合するフレーム嵌合穴部を設けた洗濯物干用Ｗ型ピンチであることを特徴とする。【０００８】  また、本考案の請求項５の洗濯物干用Ｗ型ピンチは、一端が挟み部で他端が摘み部であるピンチ片を２片有し、それぞれのピンチ片の挟み部及び掴み部を互いに対向させ、かつ両挟み部が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片のそれぞれの摘み部と挟み部のほぼ中間位置に断面円形のフレームに嵌合するフレーム嵌合穴部を設けたことを特徴とする。【０００９】  また、本考案の請求項６の洗濯物干用Ｗ型ピンチは、一端が挟み部で他端が摘み部であるピンチ片を２片有し、それぞれのピンチ片の挟み部及び摘み部を互いに対向させ、かつ両挟み部が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片の先端の連結部にフックを回動自在に取り付けたことを特徴とする。
【考案の効果】
【００１０】  本考案の物干しハンガーは洗濯後のズボン・スラックス等の脚部の裾をピンチで左右別々に挟み、左右の脚部に間隙を開けて干す事により、ズボン・スラックス等を容易に干すことができ、シワがなく脚部の折り目を美しく出し、かつ早く乾燥させることができる。
【考案を実施するための最良の形態】
【００１１】    本考案の実施の形態を代表的な実施例に基づいて図を用いて説明する。
【実施例１】
【００１２】  図１は、本考案の第一実施例の洗濯物干用ハンガーの斜視図である。２本の断面円形棒状のフレーム２１，２２を３０ミリ〜５０ミリ間隔を開けて平行に配置し、この２本のフレーム２１，２２をそれぞれの中央部で連結するフレーム連結部２３を設け、その連結部にフック５０を回動自在に取り付けた、いわゆるＨ型の洗濯物干用のハンガー１０である。各フレーム２１，２２の左側部及び右側部にそれぞれピンチ３０を可動自在に取り付けてある。
このＨ型ハンガー本体１０にピンチ３０を各フレーム２１，２２の左側部及び右側部に各１個づつ合計４個を取り付けたことにより、ズボン、スラックスの左右の脚部の裾を別々にピンチで挟んで留めて干すことができ、早く乾かすことができる。各ピンチ３０は、フレーム２１，２２のそれぞれの左側部及び右側部に可動自在に取り付けてあるので、ズボン、スラックスの裾幅に合わせて調節することができる。
【実施例２】
【００１３】  図２は、本考案の第二実施例の洗濯物干用ハンガーの斜視図であって、１本の断面円形棒状のフレーム２０の中央部にフック５０を回動自在に取り付けた、いわゆるＩ型の洗濯物干用ハンガーである。フレーム２０の左側部及び右側部にそれぞれＷ型ピンチ３３を可動自在に取り付けてある。Ｗ型ピンチ３３は、フレーム２０の左側部及び右側部にそれぞれ可動自在に取り付けたことにより、ズボン、スラックスの裾幅に合わせて調節することができる。また、２連ピンチを用いたことにより、Ｉ型の洗濯物干用ハンガーでも、ズボン、スラックスの左右の脚部の裾を別々にＷ型ピンチ３３で挟んで留めて干すことができ、早く乾かすことができる。
【実施例３】
【００１４】  図３は、本考案の第三実施例の洗濯物干用ハンガーの斜視図であって、三角型ハンガーの水平フレーム２４の左側部及び右側部にそれぞれＷ型ピンチ３３を可動自在に取り付けた洗濯物干用ハンガーである。本実施例においても、前記第二実施例の場合と同じく、Ｗ型ピンチを、水平フレーム２４の左側部及び右側部にそれぞれ可動自在に取り付けたことにより、ズボン、スラックスの裾幅に合わせて調節することができる。Ｗ型ピンチ３３を用いたことにより、本実施例の三角型の洗濯物干用ハンガーにおいても、ズボン、スラックスの左右の脚部の裾を別々にＷ型ピンチで挟んで留めて干すことができ、早く乾かすことができる。
図３は、本発明の第三実施例の斜視図であって、３角型のハンガーのフレーム２０にＷ型ピンチ３３をＵ字型のピン或は、図４のピンチ３０の穴６０を利用して取り付けた物干しハンガーである。
【実施例４】
【００１５】  図４は、本考案の第四実施例のＷ型ピンチ３３の構造説明図であって、一端が挟み部３１で他端が摘み部３２であるピンチ片を２片有し、それぞれのピンチ片の挟み部３１及び摘み部３２を互いに対向させ、かつ両挟み部３１，が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片のそれぞれの摘み部と挟み部のほぼ中間位置に断面円形のフレームに嵌合するフレーム嵌合穴部を設けたものである。
このＷ型ピンチ３３は、前記の第二実施例のＩ型ハンガー及び第三実施例の三角型ハンガーに取り付けて使用するものである。
ハンガー本体１０に図４のＷ型ピンチ３３の穴６０に水平フレーム２４を差込む事で可動式となりズボン、スラックスの裾幅に調節出来る。
従ってＷ型に２口挟む所があるので、ズボン、スラックスの左足右足の裾を挟んで干す事によりシワもなく脚部の折り目もアイロン掛けしなくとも、美しく入る。
【実施例５】
【００１６】  図５は、本考案の第五実施例のＷ型ピンチの構造説明図であって、一端が挟み部で他端が摘み部であるピンチ片を２片有し、それぞれのピンチ片の挟み部及び掴み部を互いに対向させ、かつ両挟み部が閉じるように付勢するバネを介して取り付けた洗濯物干用ピンチを２体有し、それぞれの洗濯物干用ピンチの一方のピンチ片を互いに対向して近接させ、かつ、その対向する両ピンチ片の摘み部の先端で連結して一体に形成するとともに、その連結した対向する両ピンチ片の先端の連結部にフック５０を回動自在に取り付けたことを特徴とする洗濯物干用Ｗ型ピンチ。
【図面の簡単な説明】
【００１７】
【図１】実施例１の物干しハンガーの斜視図である。
【図２】実施例２の物干しハンガーの斜視図である。
【図３】実施例３の物干しハンガーの斜視図である。
【図４】実施例４のＷ型ピンチの説明図である。
【図５】実施例５のフック付Ｗ型ピンチの説明図である。
【符号の説明】
【００１８】    １０  ハンガー本体
２０  フレーム
２１，２２  断面円形棒状フレーム
２３  フレーム連結部
２４  水平フレーム
３０  ピンチ
３１  ピンチの挟み部
３２  ピンチの摘み部
３３  Ｗ型ピンチ
４０  スプリング
５０  フック
６０  穴
【図１】
0003107409.tif 000003
【図２】
0003107409.tif 000004
【図３】
0003107409.tif 000005
【図４】
0003107409.tif 000006
【図５】
0003107409.tif 000007